(57)【要約】【課題】携帯端末装置等の機器の可視表示に関し、照光構造の複雑化を回避し、光表示機能の向上にある。【解決手段】照光方法、照光構造又は携帯端末装置に関し、光を透過する光透過材料で筐体（４）を形成することにより、筐体（４）が持つ光透過性と、筐体内に設置した遮光部材（遮光部１０）で光源（ＬＥＤ６）を包囲することにより、遮光機能と、遮光範囲の制限とにより、筐体内面の特定範囲に光を照射させ、筐体の外観上に可視表示（８８）を生起させる構成であり、斯かる構成により、光表示機能の向上が図られるとともに、光による筐体上の演出機能を高めている。【選択図】      図２
2008199212.tif 000002
【特許請求の範囲】
【請求項１】
機器の内部に光源を設置して機器外に照光する照光方法であって、
前記機器の筐体を光透過材料で形成し、前記光源を遮光部材で包囲して前記筐体の内側で遮光し、前記光源の光の照射範囲を前記遮光部材で制限して前記筐体の内面側に前記光を照射させ、前記筐体の透過光により前記筐体の外面上に可視表示を生起させることを特徴とする照光方法。
【請求項２】
機器の内部に光源を設置して機器外に照光する照光構造であって、
光を透過する筐体と、
前記筐体の内部に設置された光源と、
前記筐体の内面部に設置され、前記光源を包囲して遮光するとともに、前記光源の光の照射範囲を制限して前記筐体の内面側に前記光を照射させる遮光部と、
を備え、前記筐体の透過光により前記筐体の外面上に可視表示を生起させることを特徴とする照光構造。
【請求項３】
請求項２の照光構造において、
前記遮光部は、
前記光源を包囲して遮光する遮光部本体と、
前記光源の光の照射範囲を所定範囲に制限し、前記筐体の内面側に前記光を照射させる照光窓部と、
を備えることを特徴とする照光構造。
【請求項４】
請求項２の照光構造において、
前記遮光部は、遮光機能を備えたクッション材で形成され、前記光源を設置した基板部と、前記筐体の内面部との間に圧縮状態で保持させたことを特徴とする照光構造。
【請求項５】
請求項２の照光構造において、
前記筐体は、前記遮光部を貫通させて固定する固定突部を備えたことを特徴とする照光構造。
【請求項６】
請求項２の照光構造において、
前記筐体は、前記遮光部の周縁側を保持する立壁部を備えたことを特徴とする照光構造。
【請求項７】
請求項３の照光構造において、
前記遮光部本体は、前記筐体内面に密着させて遮光する第１の遮光突部を前記照光窓部の周囲に備えることを特徴とする照光構造。
【請求項８】
請求項３の照光構造において、
前記遮光部本体は、前記光源を設置した基板部に密着させて遮光する第２の遮光突部を備えることを特徴とする照光構造。
【請求項９】
請求項５の照光構造において、
前記遮光部は、前記固定突部を貫通させ、前記筐体に前記遮光部を固定させる固定孔を備えたことを特徴とする照光構造。
【請求項１０】
光を透過する筐体と、
前記筐体の内部に設置された光源と、
前記筐体の内面部に設置され、前記光源を包囲して遮光するとともに、前記光源の光の照射範囲を制限して前記筐体の内面側に前記光を照射させる遮光部と、
を備え、前記筐体の透過光により前記筐体の外面上に可視表示を生起させることを特徴とする携帯端末装置。
【発明の詳細な説明】
【技術分野】
【０００１】
本発明は、着信やバッテリ充電等の可視表示に用いられる照光に関し、特に、装置筐体上に可視表示を生起させる照光方法、照光構造及び携帯端末装置に関する。
【背景技術】
【０００２】
携帯端末装置等の機器では、着信や充電等を告知する可視表示に関し、筐体上に光による可視表示を行うことが実用化されている。
【０００３】
このような光による可視表示に関し、特許文献１には、ケース外面に露出するように導光体を取り付け、導光体により着信ランプの光をケース外面に導くことが開示されている。
【０００４】
特許文献２には、光源から放射された光を導光発光部内で拡散させ、この導光発光部に形成された窪み部の底面部及び側面部の表面で反射させることが開示されている。
【０００５】
また、特許文献３には、筐体に発光パネルを設置し、筐体内のＬＥＤから発光パネルに光を入射させることにより、発光パネルの発光面を発光させることが開示されている。
【特許文献１】特開平７−２７３８４６号公報（要約、図１）
【特許文献２】特開２００２−２７１４５６号公報（要約、図２）
【特許文献３】Ｗ０２００５／０１５８８６号公報（要約、図４）
【発明の開示】
【発明が解決しようとする課題】
【０００６】
ところで、携帯端末装置等の機器筐体上の可視表示に関し、筐体とは別部材である導光体（特許文献１）や発光パネル（特許文献３）等を取り付け、筐体側には照光用の窓を設けた照光構造では、筐体とは別の照光パーツを設けることが必要である。このような照光パーツを設置した筐体では、照光のために筐体が煩雑化し、製造工数が増加し、製造コストを増大させる。
【０００７】
また、可視表示を際立たせるため、照光部を筐体表面から突出させるといった構造では、取扱いによっては、突出部分が損傷するといった不都合も否めない。また、筐体に照光パーツを嵌め込む構造では僅かな隙間の発生を回避できず、水分の筐体内への侵入を阻止するための防水対策が必要になるという不都合がある。この場合も、製造コストを増大させる。
【０００８】
斯かる要求や課題について、特許文献１〜３にその開示や示唆はなく、それを解決する構成等についての開示や示唆はない。
【０００９】
そこで、本発明の目的は、携帯端末装置等の機器の可視表示に関し、照光構造の複雑化を回避し、光表示機能を向上させることにある。
【００１０】
また、本発明の他の目的は、携帯端末装置等の機器の可視表示に関し、照光構造の複雑化を回避し、光の演出機能を高めることにある。
【課題を解決するための手段】
【００１１】
上記目的を達成するため、本発明は、照光方法、照光構造又は携帯端末装置に関し、光を透過する光透過材料で筐体を形成することにより、筐体が持つ光透過性と、筐体内に設置した遮光部材で光源を包囲することにより、遮光機能と、遮光範囲の制限とにより、筐体内面の特定範囲に光を照射させ、筐体の外観上に可視表示を生起させる構成である。斯かる構成により、光表示機能の向上が図られるとともに、光による筐体上の演出機能を高められる。
【００１２】
そこで、上記目的を達成するため、本発明の第１の側面は、機器の内部に光源を設置して機器外に照光する照光方法であって、前記機器の筐体を光透過材料で形成し、前記光源を遮光部材で包囲して前記筐体の内側で遮光し、前記光源の光の照射範囲を前記遮光部材で制限して前記筐体の内面側に前記光を照射させ、前記筐体の透過光により前記筐体の外面上に可視表示を生起させる構成である。斯かる構成により、上記目的が達成される。
【００１３】
また、上記目的を達成するため、本発明の第２の側面は、機器の内部に光源を設置して機器外に照光する照光構造であって、光を透過する筐体と、前記筐体の内部に設置された光源と、前記筐体の内面部に設置され、前記光源を包囲して遮光するとともに、前記光源の光の照射範囲を制限して前記筐体の内面側に前記光を照射させる遮光部とを備え、前記筐体の透過光により前記筐体の外面上に可視表示を生起させる構成である。斯かる構成により、上記目的が達成される。
【００１４】
また、上記目的を達成するためには、上記照光構造において、好ましくは、前記遮光部は、前記光源を包囲して遮光する遮光部本体と、前記光源の光の照射範囲を所定範囲に制限し、前記筐体の内面側に前記光を照射させる照光窓部とを備える構成としてもよいし、また、前記遮光部は、遮光機能を備えたクッション材で形成され、前記光源を設置した基板部と、前記筐体の内面部との間に圧縮状態で保持させた構成としてもよいし、また、前記筐体は、前記遮光部を貫通させて固定する固定突部を備えた構成としてもよいし、また、前記筐体は、前記遮光部の周縁側を保持する立壁部を備えた構成としてもよいし、また、前記遮光部本体は、前記筐体内面に密着させて遮光する第１の遮光突部を前記照光窓部の周囲に備える構成としてもよいし、また、前記遮光部本体は、前記光源を設置した基板部に密着させて遮光する第２の遮光突部を備える構成としてもよいし、また、前記遮光部は、前記固定突部を貫通させ、前記筐体に前記遮光部を固定させる固定孔を備えた構成としてもよい。斯かる構成によっても、上記目的が達成される。
【００１５】
また、上記目的を達成するため、本発明の第３の側面は、携帯端末装置であって、光を透過する筐体と、前記筐体の内部に設置された光源と、前記筐体の内面部に設置され、前記光源を包囲して遮光するとともに、前記光源の光の照射範囲を制限して前記筐体の内面側に前記光を照射させる遮光部とを備え、前記筐体の透過光により前記筐体の外面上に可視表示を生起させる構成である。斯かる構成により、上記目的が達成される。
【発明の効果】
【００１６】
本発明によれば、次のような効果が得られる。
【００１７】
(1) 携帯端末装置等の機器の可視表示に関し、照光構造を複雑化することなく、筐体上に可視表示を生起させることができ、光表示機能の向上が図られる。
【００１８】
(2) 携帯端末装置等の機器の筐体上の可視表示に関し、照光構造の複雑化することなく、筐体上に生起させる可視表示による演出機能が高められる。
【００１９】
(3) 筐体の外面部に可視表示のための筐体とは別のパーツを設置する必要がなく、筐体表面部の単純化が図られ、製造コストの低減を図ることができる。
【００２０】
(4) 筐体の素材に応じた着色表示を行うことができ、筐体の素材と光源の発光色とに応じて筐体の素材とは異なる発光色を持つ着色表示が可能である。
【００２１】
(5) 遮光部にある窓部の形状に応じて筐体上に可視表示を行える。
【００２２】
(6) 遮光部が筐体内に設置されるので、筐体外の形状や表面の形態に変化を及ぼすことがなく、筐体設計や加工の自由度が損なわれることがない。
【００２３】
そして、本発明の他の目的、特徴及び利点は、添付図面及び各実施の形態を参照することにより、一層明確になるであろう。
【発明を実施するための最良の形態】
【００２４】
〔第１の実施の形態〕
【００２５】
第１の実施の形態について、図１、図２及び図３を参照すると、図１は、第１の実施の形態に係る携帯端末装置を示す図、図２は、図１のII−II線切断端面図、図３は、図１のIII −III 線切断端面図である。
【００２６】
この携帯端末装置２は本発明の照光方法、照光構造及び携帯端末装置の一例であって、筐体４が光透過材料で形成され、その内部に光源として例えば、ＬＥＤ（Light Emitting Diode）６が設置され、ＬＥＤ６の光を筐体４の内部で遮光し、筐体４の内面側の特定範囲に光Ｌ（図２、図３）を照射させ、筐体４の外面部に可視表示（図１１のＢの８８）を生起させる構成である。光を透過する材料で形成された筐体４には透光表示部８が設定され、この透光表示部８は、筐体４に内蔵されたＬＥＤ６と、ＬＥＤ６を包囲して遮光する遮光部材である遮光部１０とを備える。遮光部１０は光Ｌの照射範囲を一定範囲に制限する照光窓部１２を備えている。そこで、透光表示部８は、遮光部１０の遮光機能と、照光窓部１２によって制限される照射範囲とを利用し、ＬＥＤ６の光Ｌを照光窓部１２により一定範囲に照光し、筐体４の外面上で可視表示を生起させる。この透光表示部８は、境界のない曖昧な領域であって、光透過材料で形成されている筐体４が有する光透過性を利用し、透過光及び光透過材料の光拡散性等を利用して可視表示を生起させる部分である。
【００２７】
筐体４は、携帯端末装置２の機能部の外観を覆う外観ケースであって、例えば、ＡＢＳ（Acrylonitrile-Butadiene-Styrene ）樹脂のナチュラル材等の光透過材料で形成され、その内面及び／又は外面に着色料の塗装処理が施されて塗装色に着色されている。この場合、ナチュラル材とは顔料等の光透過を妨げる混入物が含まれていない材料であって、光透過性があればよい。この場合、筐体４を例えば、ＡＢＳ樹脂で構成するものとすれば、基材であるＡＢＳ樹脂に顔料等の光透過を妨げる混入物が含まれていないものであればよく、光透過を妨げなければ混入物が含まれていてもよいし、光透過が可能な塗料が塗布されていてもよい。従って、透光表示部８には、塗装色に応じた着色表示や、塗装色が白色であれば、ＬＥＤ６の発光色に応じた着色表示が得られる。
【００２８】
筐体４は、図１に示すように、固定側筐体１４と可動側筐体１６とをヒンジ部１８で連結して開閉可能（折畳み可能であり、図１は開いた状態にある）に構成されている。固定側筐体１４には操作入力部等が設置され、可動側筐体１６には表示部等が設置されている。可動側筐体１６は、図２に示すように、第１の筐体部である上面側筐体部２０と、第２の筐体部である下面側筐体部２２とで構成されている。上面側筐体部２０はナチュラル材である基材２０２と、その表面に塗装された塗料層２０４とから構成され、下面側筐体部２２も同様に基材２２２及び塗料層２２４から構成されている。これら塗料層２０４、２２４により内部の透けが防止できるとともに、所望の透過表示部８に塗料に応じた発光色が得られる。
【００２９】
可動側筐体１６には、ＬＥＤ表示部２４、２５が設置されるとともに、既述の透光表示部８が設定されている。上面側筐体部２０の透光表示部８の設定部分は、光透過性を高めるため、上面側筐体部２０の中心部分の厚さｔ１より薄い厚さｔ２（ｔ２＜ｔ１）に設定されている。斯かる可視表示を行うことからすれば、筐体４における透光表示部８を備える上面側筐体部２０のみを光透過材料で形成してもよく、透光表示部８の近傍部分を選択して光透過材料で形成してもよい。
【００３０】
ＬＥＤ６は透光表示部８に筐体４の内面から光Ｌを照射する光源であって、赤色、青色、白色等の任意の色光を発光する。このＬＥＤ６は、遮光部１０とともに遮光部材を構成する基板部２６に実装されて基板部２６とともに可動側筐体１６に設置されている。光源にはＬＥＤ６以外のランプ等の発光体を用いてもよい。
【００３１】
遮光部１０は例えば、黒色ゴム等の弾性を有し、遮光性を持つクッション材で形成され、ＬＥＤ６の光Ｌを筐体４の内部で遮光し、筐体４の一部から光Ｌを通過させる環状体であって、基板部２６と上面側筐体部２０との間に挟み込まれて設置される。
【００３２】
この遮光部１０の構成について、図４、図５、図６及び図７を参照すると、図４は、遮光部をその照光窓部側から見て示した斜視図、図５は、遮光部の開口部側から見て示した斜視図、図６は、図４のVI−VI線断面図、図７は、図４のVII −VII 線断面図である。
【００３３】
遮光部１０の遮光部本体２８には、上面側筐体部２０に当てる当接面部３０、基板部２６に当接させる当接面部３２、ＬＥＤ６の発光部を覆って遮光する遮光室３４が形成されているとともに、遮光部本体２８を上面側筐体部２０に固定するための固定フランジ部３６、３８が形成されている。当接面部３０及び当接面部３２は、図７に示すように、上側筐体部２０と基板部２６との対向面間隔に対応する異なる角度の傾斜面部を成し、当接面部３０と当接面部３２とは角度θに設定されている。
【００３４】
遮光室３４は、ＬＥＤ６を覆う半球形状（ドーム状）の空間部であって、遮光室３４には、当接面部３０側に円形の照光窓部１２、当接面部３２側に円形の開口部４０が形成されている。照光窓部１２は開口部４０より小径であって、光Ｌを通過させる導光部を構成している。照光窓部１２の周囲には当接面部３０より突出し、照光窓部１２を周回する環状の第１の遮光突部４２が形成され、また、開口部４０の周囲には当接面部３２より突出し、開口部４０を周回する環状の第２の遮光突部４４が形成されている。
【００３５】
また、固定フランジ部３６、３８は当接面部３０と一様な面部を持ち、上面側筐体部２０に固定するための固定孔４６を備えている。固定孔４６にはテーパ部４７が形成されている。この実施の形態では２つの固定フランジ部３６、３８を備えているが、一方のみでもよい。
【００３６】
遮光部１０の設置及び固定構造について、図８及び図９を参照すると、図８は、透光表示部を示す分解斜視図、図９は、下面側筐体部及び遮光部を示す分解斜視図である。
【００３７】
上面側筐体部２０には図８に示すように、下面側筐体部２２を取り付けるための支柱部４８、５０が立設され、各支柱部４８、５０にはねじ部５２が上面側筐体部２０のインサート成形によって埋設されている。下面側筐体部２２には、図９に示すように、各支柱部４８、５０を嵌め込むための凹部５４、５６が形成されているとともに、各凹部５４、５６には、固定ねじ５８を貫通させるための貫通孔６０が形成されている。各凹部５４、５６に各支柱部４８、５０を嵌め込み、下面側筐体部２２側から貫通させた固定ねじ５８を上面側筐体部２０の支柱部４８、５０のねじ部５２にねじ込むことにより、上面側筐体部２０と下面側筐体部２２とが合体される。
【００３８】
上面側筐体部２０には固定突部６２が形成されているとともに、遮光部１０の外縁部に沿わせる支持壁として複数の立壁部６４が形成されている。固定突部６２は偏平な突部であって、遮光部１０側の円状の固定孔４６に貫通させることにより、遮光部１０の素材が持つ弾性による復元力によって保持され、立壁部６４は遮光部１０の外縁部を支持し、遮光部１０の変形を防止する。また、下面側筐体部２２には図９に示すように、基板部２６が設置され、基板部２６にはＬＥＤ６が実装され、このＬＥＤ６には遮光部１０が被せられて設置される。
【００３９】
ＬＥＤ６の利用形態について、図１０を参照すると、図１０は、携帯端末装置のハードウェアを示すブロック図である。
【００４０】
ＬＥＤ６は、着信表示及び／又はバッテリ充電表示ランプを構成し、駆動部６８によって駆動される。駆動部６８はプロセッサ７０によって制御され、プロセッサ７０には通信機能部として無線通信部７２が接続されているとともに、記憶部としてＲＯＭ（Read-Only Memory）７４及びＲＡＭ（Random-Access Memory）７６が接続され、電源部７８が接続されている。プロセッサ７０はＣＰＵ（Central Processing Unit ）で構成され、着信表示制御及び／又はバッテリ充電表示制御を実行する制御部であって、ＲＯＭ７４にある着信表示プログラム及び／又は充電表示プログラムを実行する。ＲＯＭ７４はＯＳ（Operating System）やアプリケーションプログラム等が格納される記録媒体であり、着信時にＬＥＤ６を発光させる着信表示プログラム、バッテリ８０の充電や放電を監視し、充電時にＬＥＤ６を発光させる充電表示プログラムが格納されている。ＲＡＭ７６はワークエリアを構成する。また、電源部７８にはバッテリ８０が接続され、バッテリ８０の充電時、コネクタ８２を介して充電器８４が接続される。充電器８４は、交流電源８６から給電される交流を整流し、直流出力を発生する。
【００４１】
この携帯端末装置２において、無線通信部７２が基地局からの無線信号を受信すると、その着信検知に基づき、駆動部６８から駆動出力がＬＥＤ６に加えられる。ＬＥＤ６が発光すると、この光照射により、透光表示部８が発光し、着信表示として可視表示が行われる。
【００４２】
また、この携帯端末装置２において、コネクタ８２に充電器８４が接続されると、充電モードに移行し、その充電検知に基づき、駆動部６８から駆動出力がＬＥＤ６に加えられる。ＬＥＤ６が発光すると、この光照射により、透光表示部８が発光し、充電中を表す充電表示として可視表示が行われる。
【００４３】
これらの可視表示について、図１１のＡ及びＢを参照すると、図１１のＡは、透光表示部の可視表示前の状態を示す図、図１１のＢは、その可視表示状態を示す図である。
【００４４】
携帯端末装置２の内部を透けて見えないように、上面側筐体部２０に不透明な塗料を塗布し、その表面の塗料層２０４が不透明な場合には、図１１のＡに示すように、透光表示部８を上面側筐体部２０から認識することはできない。既述したように、塗料層２０４が不透明な場合であっても、上面側筐体部２０は光を透過する材料で構成されているので、ＬＥＤ６が発光すると、その光Ｌは、筐体内部では遮光部１０で遮光され、遮光部１０の照光窓部１２から透光表示部８の上面側筐体部２０の裏面側に照射され、図１１のＢに示すように、上面側筐体部２０の表面部に光Ｌによる可視表示８８が生起する。この可視表示８８は視認でき、ユーザは着信や充電中であることを認識できる。
【００４５】
このように上面側筐体部２０の表面部及びその素材内部に照光のためのパーツの嵌め込み等の加工や突起物がないため、上面側筐体部２０を簡素化でき、このような照光方法や照光構造を採用した携帯端末装置２では、外観の煩雑さがなく、デザイン性を向上することができる。また、可視表示８８は塗装色を介して表示光が浮かびあがり、光表示の演出効果が高められ、携帯端末装置２等の機器の商品性の向上が図られる。また、上面側筐体部２０に照光用の別パーツを嵌め込む等の加工やそのパーツが不要になるので、照光方法や照光構造を採用しても機器のコストダウンが図られる。
【００４６】
この照光構造の製法について、携帯端末装置２を例にとれば、上面側筐体部２０又は上面側筐体部２０を含む筐体４をＡＢＳ樹脂のナチュラル材等、光透過材料により形成し、その内面部及び／又は外面部に塗装処理を施し、塗料層２０４、２２４が形成される。筐体４の内部にはＬＥＤ６を実装し、その周囲に光を集光させるためのパーツとして遮光部１０を取り付けることにより、既述の遮光方法又は遮光構造を容易に実現できる。
【００４７】
〔第２の実施の形態〕
【００４８】
第２の実施の形態について、図１２及び図１３を参照すると、図１２は、第２の実施の形態に係る携帯端末装置を示す図、図１３は、図１２のXIII−XIII線切断端面図である。図１２及び図１３において、図１、図２、図３及び図４と同一部分には同一符号を付してある。
【００４９】
この実施の形態に係る携帯端末装置２では、図１２に示すように、ヒンジ部１８とＬＥＤ表示部２５との間に透光表示部８が設定されている。
【００５０】
このような透光表示部８は、図１３に示すように、上面側筐体部２０の狭隘空間部に設定されており、遮光部１０は、上面側筐体部２０に立設された立壁部６４の間に設置され、上面側筐体部２０と基板部２６との間に圧縮状態で保持されている。この場合、上面側筐体部２０と基板部２６とが平行であるため、遮光部１０の各当接面部３０、３２は平行面であり、当接面部３０側の遮光突部４２は上面側筐体部２０に密着し、また、当接面部３２側の遮光突部４４は基板部２６に密着している。この実施の形態においても、上面側筐体部２０はナチュラル材である基材２０２と、その表面に塗装された塗料層２０４とから構成され、下面側筐体部２２も同様に基材２２２及び塗料層２２４から構成されている。これら塗料層２０４、２２４により内部の透けが防止できるとともに、所望の透過表示部８に塗料に応じた発光色が得られる。
【００５１】
このような構成によっても、透光表示部８でＬＥＤ６の発光により、可視表示を行うことができ、第１の実施の形態と同様の効果が得られる。
【００５２】
〔他の実施の形態〕
【００５３】
上記実施の形態では、本発明の照光方法又は照光構造の一例として携帯端末装置を例示したが、本発明は、携帯端末装置に限定されるものではなく、図１４、図１５及び図１６に示すように、他の機器に適用することができる。図１４は、携帯情報端末機（ＰＤＡ：Personal Digital Assistant）の構成例を示す図、図１５は、カメラの構成例を示す図、図１６は、パーソナルコンピュータ（ＰＣ）の構成例を示す図である。図１４、図１５及び図１６において、図１、図２及び図３と同一部分には同一符号を付してある。
【００５４】
図１４に示すように、ＰＤＡ９０では筐体９２にＬＥＤ表示部９４が設置され、このＬＥＤ表示部９４の上側に既述の透光表示部８が設置されている。透光表示部８及びその内部構造は第１の実施の形態又は第２の実施の形態と同様であるので、その説明を省略する。
【００５５】
図１５に示すように、カメラ９６では筐体９８に既述の透光表示部８が設置されている。透光表示部８及びその内部構造は第１の実施の形態又は第２の実施の形態と同様であるので、その説明を省略する。
【００５６】
図１６に示すように、ＰＣ１００では固定側筐体１０２と可動側筐体１０４とがヒンジ部１０６で折畳み可能に構成され、可動側筐体１０４にはＬＥＤ表示部１０８が設置され、このＬＥＤ表示部１０８の下側に既述の透光表示部８が設置されている。透光表示部８及びその内部構造は第１の実施の形態又は第２の実施の形態と同様であるので、その説明を省略する。
【００５７】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではないい。
【００５８】
（付記１）  機器の内部に光源を設置して機器外に照光する照光方法であって、
前記機器の筐体を光透過材料で形成し、前記光源を遮光部材で包囲して前記筐体の内側で遮光し、前記光源の光の照射範囲を前記遮光部材で制限して前記筐体の内面側に前記光を照射させ、前記筐体の透過光により前記筐体の外面上に可視表示を生起させることを特徴とする照光方法。
【００５９】
（付記２）  付記１の照光方法において、
前記光源が設置された基板部と前記筐体の内面との間で遮光することにより、前記筐体内への光の漏れを阻止することを特徴とする照光方法。
【００６０】
（付記３）  機器の内部に光源を設置して機器外に照光する照光構造であって、
光を透過する筐体と、
前記筐体の内部に設置された光源と、
前記筐体の内面部に設置され、前記光源を包囲して遮光するとともに、前記光源の光の照射範囲を制限して前記筐体の内面側に前記光を照射させる遮光部と、
を備え、前記筐体の透過光により前記筐体の外面上に可視表示を生起させることを特徴とする照光構造。
【００６１】
（付記４）  付記３の照光構造において、
前記遮光部は、前記光源を設置した基板部と、前記筐体の内面部との間に設置され、前記筐体内の光漏れを阻止したことを特徴とする照光構造。
【００６２】
（付記５）  付記３の照光構造において、
前記遮光部は、
前記光源を包囲して遮光する遮光部本体と、
前記光源の光の照射範囲を所定範囲に制限し、前記筐体の内面側に前記光を照射させる照光窓部と、
を備えることを特徴とする照光構造。
【００６３】
（付記６）  付記３の照光構造において、
前記遮光部は、遮光機能を備えたクッション材で形成され、前記光源を設置した基板部と、前記筐体の内面部との間に圧縮状態で保持させたことを特徴とする照光構造。
【００６４】
（付記７）  付記３の照光構造において、
前記筐体は、前記遮光部を貫通させて固定する固定突部を備えたことを特徴とする照光構造。
【００６５】
（付記８）  付記３の照光構造において、
前記筐体は、前記遮光部の周縁側を保持する立壁部を備えたことを特徴とする照光構造。
【００６６】
（付記９）  付記５の照光構造において、
前記遮光部本体は、前記筐体内面に密着させて遮光する第１の遮光突部を前記照光窓部の周囲に備えることを特徴とする照光構造。
【００６７】
（付記１０）  付記５の照光構造において、
前記遮光部本体は、前記光源を設置した基板部に密着させて遮光する第２の遮光突部を備えることを特徴とする照光構造。
【００６８】
（付記１１）  付記７の照光構造において、
前記遮光部は、前記固定突部を貫通させ、前記筐体に前記遮光部を固定させる固定孔を備えることを特徴とする照光構造。
【００６９】
（付記１２）  光を透過する筐体と、
前記筐体の内部に設置された光源と、
前記筐体の内面部に設置され、前記光源を包囲して遮光するとともに、前記光源の光の照射範囲を制限して前記筐体の内面側に前記光を照射させる遮光部と、
を備え、前記筐体の透過光により前記筐体の外面上に可視表示を生起させることを特徴とする携帯端末装置。
【００７０】
（付記１３）  付記１２の携帯端末装置において、
前記遮光部は、前記光源を設置した基板部と、前記筐体の内面部との間に設置され、前記筐体内の光漏れを阻止したことを特徴とする携帯端末装置。
【００７１】
（付記１４）  付記１２の携帯端末装置において、
前記遮光部は、
前記光源を包囲して遮光する遮光部本体と、
前記光源の光の照射範囲を所定範囲に制限し、前記筐体の内面側に前記光を照射させる照光窓部と、
を備えることを特徴とする携帯端末装置。
【００７２】
（付記１５）  付記１２の携帯端末装置において、
前記遮光部は、遮光機能を備えたクッション材で形成され、前記光源を設置した基板部と、前記筐体の内面部との間に圧縮状態で保持させたことを特徴とする携帯端末装置。
【００７３】
（付記１６）  付記１２の携帯端末装置において、
前記筐体は、前記遮光部を貫通して前記遮光部を固定する固定突部を備えたことを特徴とする携帯端末装置。
【００７４】
（付記１７）  付記１２の携帯端末装置において、
前記筐体は、前記遮光部の周縁側を保持する突部を備えたことを特徴とする携帯端末装置。
【００７５】
（付記１８）  付記１４の携帯端末装置において、
前記遮光部本体は、前記筐体内面に密着させて遮光する第１の遮光突部を前記照光窓部の周囲に備えることを特徴とする携帯端末装置。
【００７６】
（付記１９）  付記１４の携帯端末装置において、
前記遮光部本体は、前記光源を設置した基板部に密着させて遮光する第２の遮光突部を備えることを特徴とする携帯端末装置。
【００７７】
（付記２０）  付記１６の携帯端末装置において、
前記遮光部は、前記固定突部を貫通させ、前記筐体に前記遮光部を固定させる固定孔を備えたことを特徴とする携帯端末装置。
【００７８】
（付記２１）  付記１２の携帯端末装置において、
前記可視表示を着信表示に用いたことを特徴とする携帯端末装置。
【００７９】
（付記２２）  付記１２の携帯端末装置において、
前記可視表示をバッテリの充電表示に用いたことを特徴とする携帯端末装置。
【００８０】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００８１】
本発明は、携帯端末装置等の機器の可視表示に関し、照光構造の複雑化を回避し、光表示機能の向上、光の演出機能を高めることができ、機器の外観の機能性等を向上させることができる等、有用である。
【図面の簡単な説明】
【００８２】
【図１】第１の実施の形態に係る携帯端末装置の一例を示す図である。
【図２】図１のII−II線で切断して示した切断端面図である。
【図３】図１のIII −III 線で切断して示した切断端面図である。
【図４】遮光部を示す斜視図である。
【図５】遮光部を示す斜視図である。
【図６】図４のVI−VI線で切断して示した断面図である。
【図７】図４のVII −VII 線で切断して示した断面図である。
【図８】携帯端末装置の透光表示部分を示す分解斜視図である。
【図９】下面側筐体部内を示す分解斜視図である。
【図１０】携帯端末装置のハードウェアの一例を示すブロック図である。
【図１１】透光表示部の可視表示の有無を示し、Ａはその可視表示前を示す図、Ｂはその可視表示を示す図である。
【図１２】第２の実施の形態に係る携帯端末装置の一例を示す図である。
【図１３】図１２のXIII−XIII線で切断して示した切断端面図である。
【図１４】他の実施の形態に係るＰＤＡを示す図である。
【図１５】他の実施の形態に係るカメラを示す図である。
【図１６】他の実施の形態に係るパーソナルコンピュータを示す図である。
【符号の説明】
【００８３】
２  携帯端末装置
４  筐体
６  ＬＥＤ
８  透光表示部
１０  遮光部
１２  照光窓部
１６  可動側筐体
【図１】
2008199212.tif 000003
【図２】
2008199212.tif 000004
【図３】
2008199212.tif 000005
【図４】
2008199212.tif 000006
【図５】
2008199212.tif 000007
【図６】
2008199212.tif 000008
【図７】
2008199212.tif 000009
【図８】
2008199212.tif 000010
【図９】
2008199212.tif 000011
【図１０】
2008199212.tif 000012
【図１１】
2008199212.tif 000013
【図１２】
2008199212.tif 000014
【図１３】
2008199212.tif 000015
【図１４】
2008199212.tif 000016
【図１５】
2008199212.tif 000017
【図１６】
2008199212.tif 000018